(57)【要約】【課題】各突部がそれぞれ独立した可撓性を有し、体の形状に対応して押し下げられることにより、体の各部位を満遍なく刺激できるマット材の構造を提供する。【解決手段】変形復元自在な骨格部１１の裏面１２に弾性部１３を一体に備えたマット材１０であって、前記骨格部１１は、直線部材２１を平行に二本一組として格子状に配置してなる格子部２０と、前記格子部２０の交差部分に形成された交差部３０を有しており、前記交差部３０は、直線部材２１の上面より突出する突部３１と前記直線部材２１を連結する支持部３２とからなり、前記支持部３２には、前記二本の直線部材２１の間に対応する位置に裏面側に開口する溝部３５が貫設されていることを特徴とする。【選択図】図１
2006055495.tif 000002
【特許請求の範囲】
【請求項１】
変形復元自在な骨格部の裏面に弾性部を一体に備えたマット材であって、
前記骨格部は、直線部材を平行に二本一組として格子状に配置してなる格子部と、前記格子部の交差部分に形成された交差部を有しており、前記交差部は、直線部材の上面より突出する突部と前記直線部材を連結する支持部とからなり、前記支持部には、前記二本の直線部材の間に対応する位置に裏面側に開口する溝部が貫設されていることを特徴とするマット材の構造。
【請求項２】
前記骨格部と前記弾性部とが一体に成形されている請求項１に記載のマット材の構造。
【請求項３】
前記弾性部が植毛状に形成されている請求項１又は２に記載のマット材の構造。
【発明の詳細な説明】
【技術分野】
【０００１】
この発明は、マット材の構造に関する。
【背景技術】
【０００２】
従来、体の各部位を刺激する刺激用の突起を設けたマッサージ器がある。この種マッサージ器としては、例えば、足裏を押し当てることにより足裏の各施療ツボを刺激する足裏マッサージ器がある。
【０００３】
前記足裏マッサージ器としては、左右の足裏形状のシートの表面に、足裏の各施療ツボに対応するように突起を設けたものがある。これは、使用者が前記シートに対し、その足裏形状に合うように自分の足裏を押し当てて使用するもので、シートの形状に合わせて自分の足を置かなければ、土踏まず等の所望の位置を刺激することができないものであった。
【０００４】
そこで、シートの形状に合わせて足を置くのではなく、任意の位置に足を置いても足裏をマッサージできる足裏マッサージ器が提案されている（例えば、特許文献１参照）。この足裏マッサージ器は、多数の穴を形成したガイド板に座付突起を嵌入して立設させ、発泡スチロールの弾性基板に座付突起の底面が密着するように合わせてガイド板と弾性基板とをバンドで締め、全体をファスナー付き袋状布で覆い該ファスナーを閉めて成る足裏マッサージキッチンマットである。しかしながら、このような足裏マッサージ器は、各突起が追随して動いてしまうため、足を載せた際にマット全体が沈んでしまい、足裏形状に対応して足裏を満遍なく刺激できるものではなかった。このため、各突起が独立して動き、体の形状に対応して押し下げられるマッサージ用マット材の構造が切望されていた。
【特許文献１】特開平１１−１６９４２５号公報
【発明の開示】
【発明が解決しようとする課題】
【０００５】
この発明は、前記の点に鑑みなされたもので、各突起がそれぞれ独立した可撓性を有し、体の形状に対応して押し下げられ、体の各部位を満遍なく刺激できるマット材の構造を提供するものである。
【課題を解決するための手段】
【０００６】
すなわち、請求項１の発明は、変形復元自在な骨格部の裏面に弾性部を一体に備えたマット材であって、前記骨格部は、直線部材を平行に二本一組として格子状に配置してなる格子部と、前記格子部の交差部分に形成された交差部を有しており、前記交差部は、直線部材の上面より突出する突部と前記直線部材を連結する支持部とからなり、前記支持部には、前記二本の直線部材の間に対応する位置に裏面側に開口する溝部が貫設されていることを特徴とするマット材の構造に係る。
【０００７】
請求項２の発明は、前記骨格部と前記弾性部とが一体に成形されている請求項１に記載のマット材の構造に係る。
【０００８】
請求項３の発明は、前記弾性部が植毛状に形成されている請求項１又は２に記載のマット材の構造に係る。
【発明の効果】
【０００９】
この発明のマット材の構造によれば、変形復元自在な骨格部の裏面に弾性部を一体に備えたマット材であって、前記骨格部は、直線部材を平行に二本一組として格子状に配置してなる格子部と、前記格子部の交差部分に形成された交差部を有しており、前記交差部は、直線部材の上面より突出する突部と前記直線部材を連結する支持部とからなり、前記支持部には、前記二本の直線部材の間に対応する位置に裏面側に開口する溝部が貫設されているので、各交差部がそれぞれ独立した可撓性を有し、体の形状に対応して押し下げられ、体の各部位を満遍なく刺激できるマット材の構造を提供することができた。
【００１０】
また、請求項２の発明によれば、請求項１の発明において、前記骨格部と前記弾性部とを一体に成形することにより、骨格部及び弾性部を簡単かつ容易に成形することができる。
【００１１】
請求項３の発明によれば、請求項１又は２の発明において、前記弾性部が植毛状に形成されているので、弾性部が適度な柔軟性を有し、体の形状によりいっそう対応した刺激が可能となる。
【発明を実施するための最良の形態】
【００１２】
以下添付の図面に従って本発明を詳細に説明する。図１は本発明の一実施例に係るマット材の斜視図、図２は図１のＸ−Ｘ線で切断したマット材の拡大断面図、図３は図１のマット材の交差部の一部が荷重を受けた際の該マット材の状態を示す拡大断面図、図４は図１のマット材に足を載せた状態を示すマット材の断面図である。
【００１３】
図１に示したように、このマット材１０は、変形復元自在な骨格部１１の裏面１２に弾性部１３を一体に備えたマット材１０であって、前記骨格部１１は、直線部材２１を平行に二本一組として格子状に配置してなる格子部２０と、前記格子部２０の交差部分に形成された交差部３０を有しており、前記交差部３０は、直線部材２１の上面より突出する突部３１と前記直線部材２１を連結する支持部３２とからなり、前記支持部３２には、前記二本の直線部材２１の間に対応する位置に裏面側に開口する溝部３５が貫設されている。実施例のマット材１０は、足裏マッサージマットとして使用されるもので、足を載せた際に該マット材１０の交差部３０の突部３１が足裏を押圧刺激するように構成されている。また、この例のマット材１０は、複数個をその端部１４同士において縦方向あるいは横方向に連結させることにより、所望の大きさのマット材とすることができる。図において、符合は２３は二本の直線部材２１の間に形成された溝路である。
【００１４】
前記マット材１０は、変形復元自在な骨格部１１の裏面１２に弾性部１３を一体に備えている。このマット材は、請求項２の発明として規定したように、前記骨格部１１と前記弾性部１３とが一体に成形されている。前記骨格部１１は、格子部２０と交差部３０を有する。前記格子部２０は、直線部材２１を平行に二本一組として格子状に配置してなる。前記交差部３０は、この例では、略円筒形状よりなり、前記格子部２０の交差部分に形成されている。前記弾性部１３は、骨格部１１の下方に配されており、体の荷重（実施例では足裏の荷重）を受けて圧縮変形するとともに、その弾性力により骨格部１１を上向きに押し上げるように構成されている。この弾性部１３は、請求項３の発明として規定し図１にも図示するように植毛状に形成されていると、適度な柔軟性を有し、体の形状によりいっそう対応した刺激が可能となるため好ましい。この骨格部１１及び弾性部１３は、実施例では、ポリエチレン系樹脂からなる。
【００１５】
図２に、前記マット材１０の拡大断面図を示す。図は、前記二本の直線部材２１の間において切断した状態を示す断面図である。前記交差部３０は、図示するように、突部３１と支持部３２とからなり、突部３１は直線部材２１の上面２２より突出しており、体の各部位に、この実施例では足裏に、直接接触して押圧刺激するものである。
【００１６】
前記支持部３２は、前記直線部材２１を連結するものである。この支持部３２には、前記二本の直線部材２１の間に対応する位置に裏面側に開口する溝部３５が貫設されている。前記溝部３５は、直線部材２１の直交する交差部分において、二本の直線部材２１の間に対応する位置、すなわち、二本の直線部材２１の間に形成された溝路２３の延長線上に、支持部３２の表面側から支持部３２内を通って裏面側まで貫通するように形成されている。二本の直線部材２１は格子状に形成されているため、溝部３５も直交して形成され、一方向の溝部３５とこれに直交する他方向の溝部３５は、交差部３０内において連通している。
【００１７】
図３は、マット材１０の交差部３０の一部が荷重を受けて圧縮変形した状態を示す。図は、３つの交差部３０のうち、真ん中の交差部３０のみが荷重を受けている例を示す。前述のとおり二本の直線部材２１は格子状に形成されているため、溝部３５は直交して形成され交差部３０内において互いに連通している。このような溝部３５が形成された支持部３２は適度な変形性を有する。このため、交差部３０が荷重を受けると、突部３１が下方へ沈み込むとともに支持部３２が外側へ押し広げられる。支持部３２が外側へ広がることにより、周囲の交差部３０が追随して沈み込むことが抑制される。
【００１８】
ここで、マット材１０に足４０を置いた状態を図４に示す。図示のとおり、交差部３０は、支持部３２に前述のような溝部３５が形成され、荷重を受けた際に支持部３２が外側へと押し広げられるように構成されているため、各交差部３０がそれぞれ独立した可撓性を有し、従来の足裏マッサージ器のように足を載せた際にマット全体が沈むことなく、体の形状、この場合は足裏形状に対応して押し下げられ、足裏を満遍なく刺激できる。例えば、かかとに対応する位置の交差部３０は、その突部３１が下方へ沈み込むとともに支持部３２が外側へ押し広げられるが、その周囲の交差部３０は追随されることなく、足裏形状に対応した深さだけ押し下げられている。特に、土踏まずに対応する位置の交差部３０は、深く沈み込んだかかとに対応する位置の交差部３０をはじめとする周囲の交差部３０に追随されることなく、土踏まずの形状に対応して浅く押し下げられている。
【００１９】
なお、本発明は、上記実施例に限定されるものではなく、発明の趣旨を逸脱しない範囲において構成の一部を適宜に変更して実施することができる。例えば、上記実施例のマット材１０は、足裏を刺激する足裏マッサージマットとして使用されるものであるが、これに限定されず、例えば、背中等を刺激する車の座席シート用マットとして使用されてもよい。また、マット材の用途に関しても、玄関マット、バスマット、靴の中敷き等、各種のマットあるいは敷物として使用することができる。
【図面の簡単な説明】
【００２０】
【図１】本発明の一実施例に係るマット材の斜視図である。
【図２】図１のＸ−Ｘ線で切断したマット材の拡大断面図である。
【図３】図１のマット材の交差部の一部が荷重を受けた際の該マット材の状態を示す拡大断面図である。
【図４】図１のマット材に足を載せた状態を示すマット材の断面図である。
【符号の説明】
【００２１】
１０    マット材
１１    骨格部
１２    （骨格部の）裏面
１３    弾性部
２０    格子部
２１    直線部材
２２    （直線部材の）上面
３０    交差部
３１    突部
３２    支持部
３５    溝部
【図１】
2006055495.tif 000003
【図２】
2006055495.tif 000004
【図３】
2006055495.tif 000005
【図４】
2006055495.tif 000006